(57)【要約】【課題】メンテナンスにおける作業効率の向上を実現可能な定着装置を提供する。【解決手段】ローラ部材４０を備えた定着装置において、定着装置は、ローラ部材４０の軸方向の少なくとも一方端側に回動可能に支持され回動により開閉するカバー部材３０を備え、カバー部材３０は、定着装置本体側に配設された凸状の位置決め部材２０が挿通される長穴形状の開口部２２を有し、該開口部２２を中心として回動退避する。【選択図】図４
2020140195.tif 000002
【特許請求の範囲】
【請求項１】
ローラ部材を備えた定着装置において、
前記定着装置は、前記ローラ部材の軸方向の少なくとも一方端側に、回動可能に支持され回動により開閉するカバー部材を備え、
前記カバー部材は、前記定着装置本体側に配設された凸状の位置決め部材が挿通される長穴形状の開口部を有し、該開口部を中心として回動退避することを特徴とする定着装置。
【請求項２】
前記カバー部材の前記開口部は、挿通された前記位置決め部材が長径方向に移動可能な長穴形状であり、
前記カバー部材が閉じた位置において前記位置決め部材と当接する一方端から、他端側に向かって開口径が拡大された形状であることを特徴とする請求項１に記載の定着装置。
【請求項３】
前記カバー部材は、閉じた位置において前記定着装置本体側に配設された凸状の支持部材と係合する切り欠き形状の凹部を有し、該凹部が前記支持部材と係合して前記カバー部材の回動を規制することを特徴とする請求項１または２に記載の定着装置。
【請求項４】
前記カバー部材の前記凹部は前記支持部材と係合したとき、可動を許容する隙間を有することを特徴とする請求項３に記載の定着装置。
【請求項５】
前記ローラ部材の駆動ギア列を備え、
前記カバー部材の回動退避する方向が、前記駆動ギア列の配設位置から離れる方向であることを特徴とする請求項１から４のいずれかに記載の定着装置。
【請求項６】
前記位置決め部材は、長軸方向に垂直な断面積が異なる括れ部を有し、
前記カバー部材の前記開口部は、挿通された前記位置決め部材の前記括れ部が長径方向に移動可能な長穴形状であり、
前記カバー部材が閉じた位置において前記括れ部と当接する一方端から、他端側に向かって開口径が拡大された形状であり、
前記位置決め部材の前記括れ部以外の断面積の径は、前記開口部の最大径部よりも僅かに大きいことを特徴とする請求項１から５のいずれかに記載の定着装置。
【請求項７】
画像形成装置内部のスライドレールに載置され、前記画像形成装置の外部へ引出し可能に搭載された定着装置において、
前記定着装置は前記カバー部材を引出し方向の奥側に備え、
前記カバー部材は、前記定着装置の引出し方向の奥側を開放するように回動退避することを特徴とする請求項１から６のいずれかに記載の定着装置。
【請求項８】
請求項１から７のいずれかに記載の定着装置を備えたことを特徴とする画像形成装置。
【発明の詳細な説明】
【技術分野】
【０００１】
本発明は、定着装置及び画像形成装置に関する。
【背景技術】
【０００２】
電子写真方式の画像形成装置において、用紙のジャム発生時の処理や構成部材のメンテナンスを行う際、装置構成やレイアウトによっては他の部材が障害となって作業が困難となり、効率のよいメンテナンスを実施することが難しいことがある。
【０００３】
例えば、ジャムの処理において、画像形成装置内の用紙搬送路を定着装置の下方に設けた態様では、処理のために定着装置を移動させて搬送路を開放する必要があり、機構が複雑で操作が煩雑であるという課題がある。また、用紙搬送路を定着装置の上方に搬送路を設けた態様では、定着装置の交換時の作業が複雑になり、作業性が悪くなるという課題がある。
これに対し、特許文献1では、ジャム紙の除去作業や定着装置の交換作業を容易に行うことができる構成として、定着装置の上部カバーに用紙搬送路の一方側の用紙ガイドを一体的に設ける構成が開示されている。
【発明の概要】
【発明が解決しようとする課題】
【０００４】
上述のように、画像形成装置のメンテナンス性の向上のための技術が提案されている。
一方、画像形成装置に搭載される定着装置は、定期的に交換が必要となる部品が種々存在し、その交換作業の効率化が求められている。
【０００５】
定着装置の構成部品を交換する場合、装置外側に配設されたカバー部材等を全て取り外して目的の部材にアクセスしやすくする必要がある。そのため、カバー脱着の手間により作業工数が増え、作業が煩雑となり、メンテナンス効率の低下（レバーコストの増大）の要因となっていた。
【０００６】
そこで本発明は、メンテナンスにおける作業効率の向上を実現可能な定着装置を提供することを目的とする。
【課題を解決するための手段】
【０００７】
上記課題を解決するために、本発明は、ローラ部材を備えた定着装置において、前記定着装置は、前記ローラ部材の軸方向の少なくとも一方端側に、回動可能に支持され回動により開閉するカバー部材を備え、前記カバー部材は、前記定着装置本体側に配設された凸状の位置決め部材が挿通される長穴形状の開口部を有し、該開口部を中心として回動退避することを特徴とする。
【発明の効果】
【０００８】
本発明によれば、メンテナンスにおける作業効率の向上を実現可能な定着装置を提供することができる。
【図面の簡単な説明】
【０００９】
【図１】本発明に係る画像形成装置の一例を示す概略構成図である。
【図２】本発明に係る定着装置が画像形成装置に搭載された状態を模式的に示す斜視図である。
【図３】本発明に係る定着装置の外観を模式的に示す斜視図である。
【図４】本発明に係る定着装置を上下のユニットに分割した状態を模式的に示す斜視図である。
【図５】本発明に係る定着装置においてカバー部材を回動退避させた状態を模式的に示す斜視図である。
【図６】本発明に係る定着装置においてカバー部材が閉じた状態の正面模式図及び部分拡大図である。
【図７】本発明に係る定着装置においてカバー部材を回動退避させた状態の正面模式図及び部分拡大図である。
【図８】位置決め部材の一実施形態を示す断面模式図（Ａ）及び斜視図（Ｂ）である。
【図９】ローラ部材の駆動ギア列の一例を示す模式図である。
【発明を実施するための形態】
【００１０】
以下、本発明に係る定着装置及び画像形成装置について図面を参照しながら説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１１】
本発明に係る画像形成装置の一実施形態について図１を参照して説明する。
図１は画像形成装置を示す概略構成図であり、具体的にはモノクロ画像を形成可能な複写印刷機である。また、ＰＣ接続によりプリンタとしても機能する。
【００１２】
なお、本実施形態の画像形成装置は複写機であるため、スキャナとして機能する原稿読取部を有しているが、ＰＣオンライン出力専用機、所謂プリンタバージョン等でコントローラを内蔵する場合は原稿読取部を省略しても良い。
【００１３】
以下、本実施形態の画像形成装置の概略構成及び動作について説明する。
画像形成装置は、照明装置、光学系及びＣＣＤイメージセンサ等を内部に収めたスキャナユニット１０４を有する。
スキャナの上方には原稿自動読み取り装置（以下、「ＡＤＦユニット」という（ＡＤＦ：Auto  Document  Feeder））１０３を設けている。ＡＤＦユニット１０３は原稿を自動搬送し、コンタクトガラスの読取面に原稿を送る。
【００１４】
オペレータはスキャナユニット１０４上部のコンタクトガラス、またはＡＤＦユニット１０３に原稿をセットし、操作パネルユニット１０１上の機能選択キーでモードを選択し、液晶画面の表示内容を確認しつつ、テンキーやファンクションキー等を操作して所望の画像形成条件を設定する。なお、画像形成装置は、オペレータに動作状況を示すコールライト１００を備えている。
【００１５】
スキャナユニット１０４で読み取られた画像信号は、ＳＢＵ(Sensor  Board  Unit)にてＡ／Ｄ(Analog/Digital)変換された後、レーザ書き込みユニット１１２からのレーザ光として照射される。レーザ光はレーザ書き込みユニット１１２のシリンダレンズにより集光され、ポリゴンミラーにより主走査方向にライン走査され、感光体ドラム１１６上に静電潜像を形成する。
【００１６】
現像ユニット１１３は、感光体ドラム１１６の周囲にクリーニングユニット１１４、帯電チャージャを備えている。感光体ドラム１１６上の帯電には、帯電チャージャ１１５が用いられる。
帯電チャージャ１１５には、ＰＳＵ(Power  Supply  Unit)からリセプタクル、電極端子、導電性軸受け等を介して高電圧が印加される。
【００１７】
トナー補給ユニット(トナーボトル)１１１から随時供給されるトナーと、予め現像ユニット１１３内に充填されていた現像剤は、内部の搬送スクリューにより攪拌混合されつつ現像ローラへと運ばれる。磁力により静電吸着しているトナーはマイナスに帯電している。
【００１８】
現像ローラに担持された二成分現像剤は，現像ローラ下方に配設されたドクタブレードやケーシング等の現像剤穂立ち規制部材によって適量規制された後、その二成分中の摩擦帯電したトナーがバイアス電圧に依り感光体ドラム１１６上へと移動し、静電潜像に応じて選択的に付着する。
【００１９】
現像ユニット１１３内部のトナー濃度は、底面位置に配置されたトナー濃度センサによってその帯電量から検出される。
転写後の感光体ドラム１１６上に残存する未転写のトナーは、クリーニングユニット１１４内に設けられたクリーニングブレードで掻き落とされ、廃トナーボトル１２５へと搬送、回収される。
【００２０】
また、現像ユニット１１３の周囲には、トナー飛散を防止するためのマイラーやスポンジ状材料からなる入口シールが適宜設けられている。
【００２１】
感光体ドラム１１６上のトナーで形成された顕像は、中間転写ベルトユニット１０５上に一旦転写される。
【００２２】
用紙搬送部１１７により搬送されレジストローラ部を通過した転写紙は、中間転写ベルトユニット１０５と二次転写ユニット１１８のニップ間を通過する際、二次転写ローラからのプラス帯電により中間転写ベルトユニット１０５上のトナーが転写される。
【００２３】
転写後の中間転写ベルトユニット１０５上に残存する未転写のトナーは、ベルトクリーニングユニット１０６内のクリーニングブレードで掻き落とされ、廃トナーボトル１２５へと搬送、回収される。
【００２４】
転写ローラには、ＰＳＵからリセプタクル、電極端子、導電性軸受け等を介して高電圧が印加される。
印刷環境や転写紙の種類等に起因した変動を抑制するために、定電流制御されると共に、転写電流は給紙トレイ、転写紙サイズ及び紙厚等に応じて適宜切り替えが行われる。
【００２５】
また、転写ローラに付着したトナーによって転写紙の裏汚れが生じるのを防止するために、所定のタイミングで転写ローラにマイナスバイアスを印加し、付着したトナーを中間転写ベルトユニット１０５に戻すようにすることができる。これにより、転写ローラがクリーニングされる。
【００２６】
トナーが転写された転写紙は、定着装置（以下、「定着ユニット」ともいう）１０７に搬送され、一定の温度と圧力を加えてトナー画像が用紙上に熱融着される。
定着ユニット１０７内の定着ローラには、サーミスタを設けて表面温度検出を行い、ヒータのＯＮ／ＯＦＦ制御を行っている。サーミスタは、接触型であっても非接触型であってもよい。また、温度過昇防止の為に温度ヒューズが設けられている。
【００２７】
本実施形態の定着装置は、加熱ローラ、定着ローラ、加熱ローラと定着ローラに張架される定着ベルト、及び定着ローラを押圧して定着ベルトとの間にニップ部を形成する加圧ローラ等を備えている。ニップ部はカムにより加圧脱圧が制御されている。
なお、定着装置が備えるカバー部材については後述する。
【００２８】
トナー画像が熱融着された転写紙は、定着分離板により加熱ローラ及び定着ベルトから分離された後、反転排紙ユニット１０９を経て、または設定条件に応じて両面印刷された後、排紙トレイ１２６に排出される。
なお、後処理装置等が接続されている場合は、その接続された装置の転写紙入口へ搬送される。また、画像形成装置は、本体移動用キャスタ１２７を備えている。
【００２９】
本実施形態の画像形成装置は、上述の構成及び動作により、電子写真方式による画像形成が行われる。
次に、本発明に係る定着装置について図２〜図９に基づき説明する。
【００３０】
本実施形態の定着装置１１は、図２に示すように、画像形成装置内部のスライドレール１２に載置され、画像形成装置１０の外部へ引出し可能に搭載されている。図中矢印は引き出し方向を示し、「Ｆ」は引き出し方向の手前側、「Ｂ」は引き出し方向の奥側（画像形成装置側）をそれぞれ示している。
図３は、図２のスライドレール１２上から取り外された状態の定着装置１１を示している。
図３に示す本実施形態の定着装置１１は、カバー部材３０をスライドレール１２の引出し方向の奥側（画像形成装置側）に備え、カバー部材３０は定着装置の引出し方向の奥側を開放するように回動退避する。
以下、カバー部材３０を引出し方向の奥側に備える態様について説明するが、定着装置１１は、カバー部材３０を引出し方向の手前側に備える態様や、手前側及び奥側の両方に備える態様であってもよい。
【００３１】
本実施形態の定着装置は、図４に示すように、上部の分離ユニット１３及び加熱ユニットと、下部の加圧ユニット１５とに分割される。加圧ユニット１５はローラ部材４０として加圧ローラを備えている。
【００３２】
図４の加圧ユニット１５の正面模式図を図６に示す。
図４及び図６に示すように、本実施形態の定着装置は、ローラ部材４０の軸方向の端部側に回動可能に支持され回動により開閉するカバー部材３０を備え、カバー部材３０は、定着装置本体側に配設された凸状の位置決め部材２０が挿通される長穴形状の開口部２２を有し、該開口部２２を中心として回動退避する。
本実施形態においては、カバー部材３０は、定着装置１１の引出し方向の奥側を開放するように回動退避する。
【００３３】
このような構成により、定着装置のメンテナンスにおける作業効率の向上を実現する。また、カバー部材３０の着脱作業に伴う破損や紛失等も防止することができる。
【００３４】
定着装装置は、部位によって３００℃前後の高温に晒されるため、カバー部材３０の材質としては、オペレータの安全性確保の観点からも、耐熱性を有する樹脂であることが好ましい。
本実施形態のカバー部材３０は、熱可塑性ポリエステル樹脂（具体的には、ポリエチレンテレフタレート（ＰＥＴ）の中にガラス繊維を均一に混和した材料）からなる。
その他、カバー部材３０の材料としては、ＰＯＭ（ポリアセタール）、ＰＡ（ポリアミド）、ＰＣ（ポリカーカーボネート）、ｍ−ＰＰＥ（変性ポリフェニレンエーテル）、ＰＢＴ（ポリブチレンテレフタレート）等が挙げられる。
【００３５】
カバー部材３０の開口部２２は、挿通された位置決め部材（第一の基準ピン）２０が長径方向に移動可能な長穴形状であり、カバー部材３０が閉じた位置において位置決め部材２０と当接する一方端から、他端側に向かって開口径が拡大された形状である。
カバー部材３０が閉じた位置（通常の固定位置）では、位置決め部材２０と当接する開口部２２の円周部分が略同径であることにより、カバー部材３０が確実に位置決め固定される。一方、他端側に向かって開口径が拡大され、位置決め部材２０の径より大きくなっていることにより、カバー部材３０の回動退避動作が円滑に行われる。
【００３６】
また、カバー部材３０は、図４及び図６に示す閉じた位置において、定着装置本体側に配設された凸状の支持部材２１（第二の基準ピン）と係合する切り欠き形状の凹部２３を有し、該凹部２３が支持部材２１と係合してカバー部材３０の回動を規制する。
通常の固定位置では、上述のように位置決め部材２０と開口部２２との嵌合とともに、支持部材２１と凹部２３との係合により位置決め固定が確実に行われる。
【００３７】
なお、支持部材２１と凹部２３との係合は、位置決め部材２０が開口部２２内をスライドさせるようにカバー部材３０を矢印Ｄ１で示す方向に移動させることで解除され、カバー部材３０は矢印Ｄ２で示す方向への回動退避動作が可能となる。
【００３８】
さらに、カバー部材の凹部２３は、図６に示すように支持部材２１と係合したとき、可動を許容する隙間Ｇ１を有する。この隙間Ｇ１を設けることにより、上述のカバー部材３０の矢印Ｄ１で示す方向への移動がより円滑となる。
【００３９】
カバー部材３０が回動退避し、ローラ部材４０の軸方向端部側（引出し方向の奥側）の面が開放された状態を図５及び図７に示す。図７は図５の正面模式図である。
図７に示すように、カバー部材３０が退避位置にあるとき、位置決め部材２０と当接する開口部２２の円周部分の径は大きく、隙間Ｇ２を有する。
【００４０】
本実施形態の定着装置は、ローラ部材４０の駆動ギア列を備え、カバー部材３０の回動退避する方向（図６中矢印Ｄ２で示す方向）が、駆動ギア列の配設位置から離れる方向である。
図９に駆動ギア列４１の配置の一例を示す。図中、駆動ギア列の位置関係の理解のために位置決め部材（第一の基準ピン）２０及び凸状の支持部材２１（第二の基準ピン）を示し、あわせてカバー部材３０（回動前３０ａ、回動後３０ｂ）を破線で示している。ローラ部材４０（加圧ローラ）の駆動ギア４１ａの支持部材２１側にはアイドラギア４１ｂ及び入力ギア４１ｃが配列されている。駆動ギア列４１には、さらに、図示しない定着ローラの駆動ギア４１ｄと複数のアイドラギア４１ｅ及び４１ｆが配列されている。
カバー部材３０ａが３０ｂへ回動退避する方向（矢印Ｄ２で示す方向）が、駆動ギア列４１の配設位置から離れる方向（駆動ギア列４１の配設位置の反対方向）であることにより、メンテナンス時の作業効率が向上する。
また、この方向に回動することにより、カバー部材３０の凹部２３がドロアコネクタや作業机上面等の障害物と当接しない領域に位置することになるため、破損を防止することができる。
【００４１】
定着装置の他の実施形態を図８に基づき説明する。
図８（Ａ）は位置決め部材（第一の基準ピン）２０の断面模式図であり、図８（Ｂ）は開口部２２に挿通された状態を模式的に示す斜視図である。
【００４２】
図８に示すように、本実施形態の定着装置の位置決め部材２０は、長軸方向に垂直な断面積が異なる括れ部Ｃを有する。カバー部材３０の開口部２２は、挿通された位置決め部材２０の括れ部Ｃが長径方向に移動可能な長穴形状であり、カバー部材３０が閉じた位置において括れ部Ｃと当接する一方端から、他端側に向かって開口径が拡大された形状である。位置決め部材２０の括れ部Ｃ以外の断面積の径は、開口部２２の最大径部よりも僅かに大きい。
【００４３】
本実施形態において、位置決め部材２０の括れ部Ｃ以外の断面積の径が、開口部２２の最大径部よりも僅かに大きいため、カバー部材３０の開口部２２に位置決め部材２０を挿通させる際には、カバー部材３０を押し込むようして括れ部Ｃを開口部２２に嵌合させる。このようにカバー部材３０を取り付けることにより、回動退避動作時に脱落するのを防ぐことができるとともに、工具等を使用することなく容易に着脱することができる。
カバー部材３０は樹脂製であることが好ましく、樹脂の塑性変形によりこのような取り付けが可能となる。
【００４４】
上述の定着装置について、メンテナンス（例えば、構成する部品の交換）の手順の一例を説明する。
【００４５】
まず、図２に示す画像形成装置１０の印刷動作の停止後、スライドレール１２に載置された定着装置（定着ユニット）１１を引出す。このとき、定着装置１１が十分に冷却されてから引出すことが好ましい。
【００４６】
次に、定着装置１１をスライドレール１２から取り外し、作業スペース上に静置し、メンテナンス作業を開始する。
本実施形態の定着装置１１は、各ユニットを結合している締結ネジを外すことにより、図４に示すように分離ユニット１３及び加熱ユニット１４と、加圧ユニットとに上下分割することができる。
【００４７】
各ユニットに分割した後、目的のユニットにメンテナンスを行う。例えば、加圧ユニット１５のローラ部材４０のメンテナンスとして、加熱源であるハロゲンヒータ等の交換を実施する。このときカバー部材３０は作業の障害となるため、図５及び図７に示す位置に回動退避させる。
【００４８】
カバー部材３０は、定着装置１１から取り外すことなく、開口部２２に位置決め部材２０を挿通した状態のまま回動させ、メンテナンス作業の障害とならない位置に退避させる。
カバー部材３０は、閉じた位置においては支持部材２１に凹部２３が係合し、固定されているが、位置決め部材２０を開口部２２内部で開口に沿って矢印Ｄ１で示す方向にスライドさせることで凹部２３は支持部材２１との係合が解除され、矢印Ｄ２で示す方向に回動可能となる。
【００４９】
メンテナンス作業が終了した後、カバー部材３０を退避方向と反対（矢印Ｄ３で示す方向）に回動させ、凹部２３を支持部材２１に係合させて位置決め固定することにより、閉じた位置（通常の固定位置）に戻す。そして、各ユニットを結合した定着装置をスライドレール１２に載置し、画像形成装置１０内に収容する。
以上の方法により、定着装置１１のメンテナンスにおける作業効率の向上を実現することができる。
【符号の説明】
【００５０】
１１        定着装置（定着ユニット）
１２        スライドレール
１３        分離ユニット
１４        加熱ユニット
１５        加圧ユニット
２０        位置決め部材（第一の基準ピン）
２１        支持部材（第二の基準ピン）
２２        開口部
２３        凹部
３０        カバー部材
４０        ローラ部材
４１        駆動ギア列
【先行技術文献】
【特許文献】
【００５１】
【特許文献１】特許第５１４２００８号公報
【特許文献２】特許第３７７４６９１号公報
【特許文献３】特許第２７１７９６８号公報
【図１】
2020140195.tif 000003
【図２】
2020140195.tif 000004
【図３】
2020140195.tif 000005
【図４】
2020140195.tif 000006
【図５】
2020140195.tif 000007
【図６】
2020140195.tif 000008
【図７】
2020140195.tif 000009
【図８】
2020140195.tif 000010
【図９】
2020140195.tif 000011